(57)【要約】      （修正有）【課題】複数の人が同時にリモート視聴できる放送受信機を提供する。【解決手段】放送受信機１は、コンテンツを受信する放送受信部１２と、リモート視聴が可能な携帯端末の識別情報を記憶するコンテンツ記憶部１６と、携帯端末２から、コンテンツを要求するコンテンツ要求を受信する受信部１１１と、受信部１１１が、上記の識別情報に対応する複数の携帯端末から所定の時間範囲内にコンテンツ要求を受けた場合に、複数の携帯端末に対して、時分割で配信先を切り替えながらコンテンツを配信する送信部１１２と、を備える。【選択図】図３
2016066914.tif 000002
【特許請求の範囲】
【請求項１】
コンテンツを受信するコンテンツ受信部と、
リモート視聴が可能な携帯端末の識別情報を記憶する記憶部と、
前記携帯端末から、前記コンテンツを要求するコンテンツ要求を受信する要求受信部と、
前記要求受信部が、前記識別情報に対応する複数の前記携帯端末から所定の時間範囲内に前記コンテンツ要求を受けた場合に、複数の前記携帯端末に対して、時分割で配信先を切り替えながら前記コンテンツを配信する送信部と、
を備える放送受信機。
【請求項２】
前記送信部は、前記携帯端末が有するバッファの大きさに基づくタイミングで、時分割で配信先を切り替えながら前記コンテンツを配信する、
請求項１に記載の放送受信機。
【請求項３】
前記送信部は、複数の前記携帯端末のうちの第１携帯端末に前記コンテンツを配信中に、複数の前記携帯端末のうちの第２携帯端末に前記コンテンツを配信せず、前記第２携帯端末に前記コンテンツを配信中に、前記第１携帯端末に前記コンテンツを配信しない、
請求項１又は２に記載の放送受信機。
【請求項４】
前記記憶部は、前記識別情報に関連付けて、前記コンテンツを配信する優先度をさらに記憶し、
前記送信部は、前記第２携帯端末よりも前記優先度が高い前記第１携帯端末に前記コンテンツを配信中に前記第２携帯端末から前記コンテンツ要求を受信した場合に、前記第１携帯端末への前記コンテンツの配信を継続し、前記第２携帯端末に前記コンテンツを配信中に前記第１携帯端末から前記コンテンツ要求を受信した場合に、前記第２携帯端末への前記コンテンツの配信を停止して、前記第１携帯端末への前記コンテンツの配信を開始する、
請求項３に記載の放送受信機。
【請求項５】
前記送信部は、前記第２携帯端末よりも前記優先度が高い前記第１携帯端末に対して、前記第２携帯端末に配信する前記コンテンツよりも品質が高いコンテンツを配信する、
請求項４に記載の放送受信機。
【請求項６】
前記携帯端末との通信のスループットを取得する取得部を備え、
前記送信部は、前記スループットに対応する品質の前記コンテンツを前記携帯端末に配信する、
請求項１から５のいずれか１項に記載の放送受信機。
【請求項７】
前記送信部は、前記所定の時間範囲内に前記コンテンツを配信する対象となっている前記携帯端末の台数に対応する時間ごとに、前記配信先を切り替える、
請求項１から６のいずれか１項に記載の放送受信機。
【請求項８】
前記送信部は、前記放送受信機における負荷の大きさに基づいて、前記コンテンツを時分割で配信する対象とする前記携帯端末の上限台数を決定する、
請求項１から７のいずれか１項に記載の放送受信機。
【請求項９】
前記送信部は、前記携帯端末に対して、リモート視聴が可能な他の前記携帯端末によるリモート視聴の状況に関する情報を送信する、
請求項１から８のいずれか１項に記載の放送受信機。
【請求項１０】
請求項１から７のいずれか１項に記載の放送受信機が受信したコンテンツを要求するコンテンツ要求を前記放送受信機に配信する端末送信部と、
前記コンテンツを前記放送受信機から受信する端末受信部と、
前記端末受信部が受信した所定時間分の前記コンテンツを保持するバッファ部と、
を備える携帯端末。
【請求項１１】
前記所定の時間範囲内に前記放送受信機が前記コンテンツを配信する対象となっている前記携帯端末の台数に基づいて、前記バッファ部が前記コンテンツを保持する前記所定時間を変更する制御部を有する、
請求項１０に記載の携帯端末。
【請求項１２】
コンテンツを受信する放送受信機と、前記放送受信機が受信した前記コンテンツをリモート視聴可能な複数の携帯端末と、を備え、
複数の前記携帯端末のそれぞれは、
前記コンテンツを要求するコンテンツ要求を前記放送受信機に配信する端末送信部と、
前記コンテンツを前記放送受信機から受信する端末受信部と、
前記端末受信部が受信した所定時間分の前記コンテンツを保持するバッファ部と、
を有し、
前記放送受信機は、
コンテンツを受信するコンテンツ受信部と、
リモート視聴が可能な携帯端末の識別情報を記憶する記憶部と、
前記携帯端末から、前記コンテンツ要求を受信する要求受信部と、
前記要求受信部が、前記識別情報に対応する複数の前記携帯端末から所定の時間範囲内に前記コンテンツ要求を受けた場合に、複数の前記携帯端末に対して、時分割で配信先を切り替えながら前記コンテンツを配信する送信部と、
を有するリモート視聴システム。
【請求項１３】
前記端末送信部は、前記バッファ部が保持している前記コンテンツの量が所定の量よりも少なくなったタイミングで、前記コンテンツ要求を前記放送受信機に送信する、
請求項１２に記載のリモート視聴システム。
【請求項１４】
リモート視聴が可能な携帯端末から放送受信機に、前記放送受信機が受信したコンテンツを要求するコンテンツ要求を配信するステップと、
前記放送受信機が、複数の前記携帯端末から所定の時間範囲内に前記コンテンツ要求を受けた場合に、複数の前記携帯端末に対して、時分割で配信先を切り替えながら前記コンテンツを配信するステップと、
を有するリモート視聴方法。
【発明の詳細な説明】
【技術分野】
【０００１】
本発明は、放送受信機、放送受信機から受信した放送コンテンツを視聴可能な携帯端末、リモート視聴システム及びリモート視聴方法に関する。
【背景技術】
【０００２】
スマートフォン及びタブレット等の携帯端末の普及に伴い、屋外で移動中にデジタルテレビ放送を視聴したいというニーズが高まっている。このような背景の中、予め放送受信機とペアリングされた携帯端末において、放送受信機が選局中の放送コンテンツを屋外で視聴できるリモート視聴要件が規定化され、非特許文献１に開示されている。
【先行技術文献】
【非特許文献】
【０００３】
【非特許文献１】「デジタル放送受信機におけるリモート視聴要件」、［online］、平成２６年２月１７日、一般社団法人次世代放送推進フォーラム、［平成２６年６月２０日検索］、インターネット（URL: http://www.nextv-f.jp/pdf/NEXTVF_TR-0001_V1_0.pdf）
【発明の概要】
【発明が解決しようとする課題】
【０００４】
放送受信機が、リモート視聴技術を利用して携帯端末に放送コンテンツを転送することにより、携帯端末のユーザは、屋外でデジタルテレビ放送をリモート視聴することができる。しかしながら、コンテンツの保護の観点から、非特許文献１にて示される規定要件としては、リアルタイムで同時にリモート視聴することができる携帯端末の台数は１台に制限されている。また、同じ観点から、コンテンツ同時配信数を１台に制約する実装仕様を持った放送受信機が存在することも考えられる。したがって、家族で放送受信機を共用している場合、家族のうちの一人がリモート視聴をしていると、他の家族がリモート視聴することができないという問題があった。
【０００５】
そこで、本発明はこれらの点に鑑みてなされたものであり、コンテンツを保護しつつ、複数の人が同時にリモート視聴をできるようにすることを目的とする。
【課題を解決するための手段】
【０００６】
本発明の第１の態様においては、コンテンツを受信するコンテンツ受信部と、リモート視聴が可能な携帯端末の識別情報を記憶する記憶部と、前記携帯端末から、前記コンテンツを要求するコンテンツ要求を受信する要求受信部と、前記要求受信部が、前記識別情報に対応する複数の前記携帯端末から所定の時間範囲内に前記コンテンツ要求を受けた場合に、複数の前記携帯端末に対して、時分割で配信先を切り替えながら前記コンテンツを配信する送信部と、を備える放送受信機を提供する。
【０００７】
前記送信部は、例えば、前記携帯端末が有するバッファの大きさに基づくタイミングで、時分割で配信先を切り替えながら前記コンテンツを配信する。前記送信部は、複数の前記携帯端末のうちの第１携帯端末に前記コンテンツを配信中に、複数の前記携帯端末のうちの第２携帯端末に前記コンテンツを配信せず、前記第２携帯端末に前記コンテンツを配信中に、前記第１携帯端末に前記コンテンツを配信しないでもよい。
【０００８】
また、前記記憶部は、前記識別情報に関連付けて、前記コンテンツを配信する優先度をさらに記憶し、前記送信部は、前記第２携帯端末よりも前記優先度が高い前記第１携帯端末に前記コンテンツを配信中に前記第２携帯端末から前記コンテンツ要求を受信した場合に、前記第１携帯端末への前記コンテンツの配信を継続し、前記第２携帯端末に前記コンテンツを配信中に前記第１携帯端末から前記コンテンツ要求を受信した場合に、前記第２携帯端末への前記コンテンツの配信を停止して、前記第１携帯端末への前記コンテンツの配信を開始してもよい。
【０００９】
また、前記送信部は、前記第２携帯端末よりも前記優先度が高い前記第１携帯端末に対して、前記第２携帯端末に配信する前記コンテンツよりも品質が高いコンテンツを配信してもよい。
【００１０】
上記の放送受信機は、前記携帯端末との通信のスループットを取得する取得部を備え、前記送信部は、前記スループットに対応する品質の前記コンテンツを前記携帯端末に配信してもよい。また、前記送信部は、前記所定の時間範囲内に前記コンテンツを配信する対象となっている前記携帯端末の台数に対応する時間ごとに、前記配信先を切り替えてもよい。前記送信部は、前記放送受信機における負荷の大きさに基づいて、前記コンテンツを時分割で配信対象とする前記携帯端末の上限台数を決定してもよい。
【００１１】
本発明の第２の態様においては、上記の放送受信機が受信したコンテンツを要求するコンテンツ要求を前記放送受信機に配信する端末送信部と、前記コンテンツを前記放送受信機から受信する端末受信部と、前記端末受信部が受信した所定時間分の前記コンテンツを保持するバッファ部と、を備える携帯端末を提供する。上記の携帯端末は、前記放送受信機が前記所定の時間範囲内に前記コンテンツを配信する対象となっている前記携帯端末の台数に基づいて、前記バッファ部が前記コンテンツを保持する前記所定時間を変更してもよい。
【００１２】
本発明の第３の態様においては、コンテンツを受信する放送受信機と、前記放送受信機が受信した前記コンテンツをリモート視聴可能な複数の携帯端末と、を備え、複数の前記携帯端末のそれぞれは、前記コンテンツを要求するコンテンツ要求を前記放送受信機に送信する端末送信部と、前記コンテンツを前記放送受信機から受信する端末受信部と、前記端末受信部が受信した所定時間分の前記コンテンツを保持するバッファ部と、を有し、前記放送受信機は、コンテンツを受信するコンテンツ受信部と、リモート視聴が可能な携帯端末の識別情報を記憶する記憶部と、前記携帯端末から、前記コンテンツ要求を受信する要求受信部と、前記要求受信部が、前記識別情報に対応する複数の前記携帯端末から所定の時間範囲内に前記コンテンツ要求を受けた場合に、複数の前記携帯端末に対して、時分割で配信先を切り替えながら前記コンテンツを配信する送信部と、を有するリモート視聴システムを提供する。
【００１３】
前記端末送信部は、例えば、前記バッファ部が保持している前記コンテンツの量が所定の量よりも少なくなったタイミングで、前記コンテンツ要求を前記放送受信機に配信する。
【００１４】
本発明の第４の態様においては、リモート視聴が可能な携帯端末から放送受信機に、前記放送受信機が受信したコンテンツを要求するコンテンツ要求を配信するステップと、前記放送受信機が、複数の前記携帯端末から所定の時間範囲内に前記コンテンツ要求を受けた場合に、複数の前記携帯端末に対して、時分割で配信先を切り替えながら前記コンテンツを配信するステップと、を有するリモート視聴方法を提供する。
【発明の効果】
【００１５】
本発明によれば、コンテンツを保護しつつ、複数の人が同時にリモート視聴をできるという効果を奏する。
【図面の簡単な説明】
【００１６】
【図１】第１の実施形態に係るリモート視聴システムの構成を示す図である。
【図２】放送受信機が時分割で放送コンテンツを配信する動作の概要を示す図である。
【図３】第１の実施形態に係る放送受信機の構成を示す図である。
【図４】放送受信機の記憶部が記憶している優先度テーブルである。
【図５】放送コンテンツごとの優先度を示す優先度テーブルである。
【図６】時間帯ごとの優先度を示す優先度テーブルである。
【図７】第１の実施形態に係る携帯端末の構成を示す図である。
【図８】リモート視聴時の動作シーケンス図である。
【図９Ａ】複数の携帯端末が同時にリモート視聴をする時の動作シーケンス図である。
【図９Ｂ】複数の携帯端末が同時にリモート視聴をする時の動作シーケンス図である。
【図１０】第２の実施形態に係る放送受信機１の構成を示す図である。
【図１１】第３の実施形態に係るリモート視聴システムの構成を示す図である。
【図１２】第３の実施形態に係るサーバの構成を示す図である。
【図１３】第３の実施形態におけるリモート視聴時の動作シーケンス図である。
【発明を実施するための形態】
【００１７】
＜第１の実施形態＞
［リモート視聴システムＳ１の構成］
図１は、第１の実施形態に係るリモート視聴システムＳ１の構成を示す図である。リモート視聴システムＳ１は、放送受信機１と、複数の携帯端末２（携帯端末２Ａ、２Ｂ、２Ｃ）とを備える。
【００１８】
放送受信機１は、放送局３から配信される放送コンテンツを受信するチューナーを有するセットトップボックスである。放送受信機１は、例えばＨＤＭＩ（High-Definition Multimedia Interface、登録商標）ケーブルを介して液晶ディスプレイ等のモニタ（不図示）と接続することが可能であり、受信した放送コンテンツをモニタに表示する。
【００１９】
携帯端末２は、基地局４と無線通信回線により接続され、屋外で通信可能なスマートフォン及びタブレット等の端末である。携帯端末２には、放送受信機１から転送された放送コンテンツをリモート視聴するためのアプリケーションソフトがインストールされている。携帯端末２のユーザが、アプリケーションソフトを起動して所定の操作をすると、携帯端末２は、リモート視聴を要求するメッセージであるリモート視聴要求を放送受信機１に配信する。
【００２０】
放送受信機１は、予めペアリングされた携帯端末２からのリモート視聴要求に応じて、インターネット等のネットワークＮを介して、受信した放送コンテンツを携帯端末２に転送する。その結果、携帯端末２のユーザは、転送された放送コンテンツを、放送受信機１から離れた場所においてリモート視聴することができる。ここで、ペアリングは、携帯端末２を識別するための識別情報を、予め放送受信機１に記憶させておく処理である。携帯端末２のユーザは、例えば、放送受信機１と携帯端末２とが屋内の無線通信回線（例えば、Ｗｉ−Ｆｉ（登録商標）回線）で接続可能な状態で所定の操作をすることにより、放送受信機１と携帯端末２とをペアリングさせることができる。
【００２１】
放送受信機１は、複数の携帯端末２に対して、時分割で配信先を切り替えながら放送コンテンツを配信することができる。
図２は、放送受信機１が時分割で放送コンテンツを配信する動作の概要を示す図である。図２は、放送受信機１が、携帯端末２Ａに放送コンテンツを配信した後に、携帯端末２Ｃに放送コンテンツを配信し、その後、携帯端末２Ｂに放送コンテンツを配信する動作を示している。
【００２２】
携帯端末２は、受信した放送コンテンツを所定の時間にわたって保持するバッファを有しており、放送コンテンツを受信している間、及び放送コンテンツを受信していない間に、放送コンテンツを再生する。例えば、放送受信機１が再生中の番組と同じ番組を視聴するために、携帯端末２が放送受信機１に対して取得要求を送信した場合において、放送受信機１が、放送コンテンツの再生時間よりも短い時間で当該放送コンテンツを携帯端末２に送信することにより、放送受信機１が複数の携帯端末２に、バッファリングしておいた放送コンテンツを時分割で送信しても、それぞれの携帯端末２は、放送コンテンツを継続的に再生することができる。放送受信機１は、例えば、放送コンテンツを時分割で配信する携帯端末２の台数に基づいて定められる時間で放送コンテンツを配信できるように、放送コンテンツを圧縮したり、放送コンテンツの解像度を下げて配信したりする。このようにすることで、放送受信機１は、放送コンテンツを同時に複数の携帯端末２に配信しないことでコンテンツを保護しつつ、複数の携帯端末２のユーザが、実質的に同時にリモート視聴することが可能になる。
【００２３】
放送受信機１は、携帯端末２が有するバッファの大きさに基づくタイミングで、時分割で配信先を切り替えながら放送コンテンツを配信してもよい。放送受信機１は、例えば、携帯端末２が、バッファに残っている放送コンテンツの残量が少なくなったことを通知してきたタイミングで、配信先を切り替える。放送受信機１は、それぞれの携帯端末２のバッファの大きさを記憶しておき、携帯端末２のバッファの大きさに対応する量の放送コンテンツを配信した後に、他の携帯端末２への放送コンテンツの配信を開始してもよい。
【００２４】
また、放送受信機１は、バッファの大きさ、及び放送受信機１と携帯端末２との間のネットワークＮの通信速度に基づくタイミングで、時分割で配信先を切り替えながら放送コンテンツを配信してもよい。放送受信機１は、例えば、通信速度が高速な場合に、通信速度が低速な場合よりも短い時間間隔で配信先を切り替えることにより、放送コンテンツが高速な通信速度で携帯端末２に送信されることでバッファが枯渇することを防ぐことができる。
以下、放送受信機１及び携帯端末２の構成と動作を詳細に説明する。
【００２５】
［放送受信機１の構成］
図３は、放送受信機１の構成を示す図である。放送受信機１は、通信部１１と、放送受信部１２と、出力部１３と、記憶部１４と、制御部１５と、コンテンツ記憶部１６とを有する。
【００２６】
通信部１１は、ネットワークＮを介して携帯端末２と通信するための通信インターフェイスであり、例えばＬＡＮコントローラを含んで構成される。通信部１１は、受信部１１１及び送信部１１２を有する。
【００２７】
受信部１１１は、携帯端末２から、リモート視聴の開始を要求するリモート視聴要求を受信する。リモート視聴要求には、リモート視聴をする放送コンテンツ又はチャネルを特定するための情報が含まれている。受信部１１１は、受信したリモート視聴要求を制御部１５に出力する。また、受信部１１１は、リモート視聴中の携帯端末２から、放送コンテンツの配信を要求するコンテンツ配信要求を受信する。
【００２８】
送信部１１２は、制御部１５により選択された携帯端末２に対して、放送局３から受信した放送コンテンツを配信する。送信部１１２は、受信部１１１が、リモート視聴が許可されている複数の携帯端末２から所定の時間範囲内にコンテンツ配信要求を受けた場合に、複数の携帯端末２に対して、時分割で配信先を切り替えながら放送コンテンツを配信する。すなわち、送信部１１２は、携帯端末２Ａに放送コンテンツを配信中に、携帯端末２Ｂに放送コンテンツを配信せず、携帯端末２Ｂに放送コンテンツを配信中に、携帯端末２Ａに前記コンテンツを配信しない。送信部１１２は、同一の放送コンテンツを時分割で複数の携帯端末２に配信してもよく、複数の携帯端末２から要求されたそれぞれ異なる放送コンテンツを、対応する携帯端末２に配信してもよい。
【００２９】
具体的には、送信部１１２は、携帯端末２Ａに所定の時間にわたって放送コンテンツを配信した後に、携帯端末２Ａへの放送コンテンツの配信を停止し、携帯端末２Ｂへの放送コンテンツの配信を開始する。また、送信部１１２は、携帯端末２Ｂに所定の時間にわたって放送コンテンツを配信した後に、携帯端末２Ｂへの放送コンテンツの配信を停止し、携帯端末２Ａへの放送コンテンツの配信を開始する。送信部１１２が、このような時分割での放送コンテンツの配信を繰り返すことにより、複数の携帯端末２に並行して放送コンテンツを配信することができる。
【００３０】
放送受信部１２は、放送局３から放送コンテンツを受信するチューナーである。放送受信部１２は、受信した放送コンテンツを、放送受信機１に接続されたモニタ、又はコンテンツ記憶部１６へと出力する。具体的には、ユーザがリモコン操作によりモニタでの放送コンテンツの視聴を選択した場合、放送受信部１２は、放送コンテンツを出力部１３に出力する。また、放送受信部１２は、リモート視聴の対象となる放送コンテンツを、コンテンツ記憶部１６に格納する。
【００３１】
出力部１３は、放送受信部１２から入力された放送コンテンツをモニタに出力する。出力部１３は、例えばＨＤＭＩコントローラであり、放送受信部１２から入力された放送コンテンツを所定のフォーマットに変換してからモニタへと出力する。
【００３２】
記憶部１４は、ＲＯＭやフラッシュメモリ等の不揮発性メモリ及びＲＡＭ等の揮発性メモリを含んで構成される。記憶部１４は、制御部１５により実行されるプログラムを記憶している。また、記憶部１４は、ペアリングされた携帯端末２の識別情報に関連付けて、それぞれの携帯端末２がリモート視聴をする優先度を示す優先度テーブルを記憶している。
【００３３】
図４は、記憶部１４が記憶している優先度テーブルの一例である。図４に示す優先度テーブルにおいては、携帯端末２の識別情報と、携帯端末２の所有者と、それぞれの携帯端末２の優先度を示す優先度情報と、それぞれの携帯端末２のユーザが優先的に視聴したいチャネルを示す優先チャネル情報と、それぞれの携帯端末２のユーザが優先的に視聴したい放送コンテンツのジャンルを示す優先ジャンル情報とが関連付けられている。優先度は、１から１０までの数値により表され、数値が小さいほど優先度が高い。図４に示す例においては、父が所有する携帯端末２Ａの優先度が最も高い。記憶部１４は、放送受信機１に表示される操作画面、又は携帯端末２のリモート視聴アプリケーションソフトを用いてユーザが入力する情報に基づいて、優先度テーブルを更新する。
【００３４】
また、記憶部１４は、リモート視聴が許可されている携帯端末２を示す情報を一時的に記憶する。具体的には、受信部１１１がリモート視聴要求を受信し、リモート視聴要求を送信した携帯端末２と放送受信機１との間でリモート視聴をするための認証処理が完了すると、当該携帯端末２の識別情報を、リモート視聴中の携帯端末２の識別情報を格納したリモート視聴中端末リストに加える。記憶部１４は、リモート視聴中の携帯端末２の識別情報と、放送コンテンツを配信する優先度を示す優先度情報とを関連付けて、リモート視聴中端末リストに記憶させてもよい。
【００３５】
制御部１５は、例えばＣＰＵを含んで構成される。制御部１５は、記憶部１４に記憶されたプログラムを実行することにより、放送受信機１の機能を統括的に制御する。制御部１５は、決定部１５１と、選択部１５２と、送信制御部１５３とを有する。
【００３６】
決定部１５１は、それぞれの携帯端末２のリモート視聴の優先度を決定する。決定部１５１は、放送受信機１に接続されたモニタ、又はＷｉ−Ｆｉ回線で接続された携帯端末２に、複数の携帯端末２の優先度を入力するための操作画面を表示させ、操作画面において入力された情報に基づいて優先度を決定する。決定部１５１は、決定した優先度を示す情報を記憶部１４に記憶させる。決定部１５１は、例えば、ユーザにより入力された情報に基づいて図４に示す優先度テーブルを作成し、作成した優先度テーブルを記憶部１４に記憶させる。
【００３７】
決定部１５１は、ユーザが操作画面において入力した優先度の代わりに、他の情報に基づいて優先度を決定してもよい。例えば、決定部１５１は、放送コンテンツの属性と、携帯端末２のユーザの属性とに基づいて、優先度を決定する。具体的には、決定部１５１は、以下の手順により優先度を決定する。
【００３８】
まず、決定部１５１は、携帯端末２のユーザの属性として、予め記憶部１４に記憶された、ユーザが関心を持っている放送コンテンツの属性を示す情報を取得する。放送コンテンツの属性情報は、例えば、「ビジネス」、「ドラマ」、「バラエティ」、「スポーツ」のように、放送コンテンツの特徴を示す情報である。続いて、決定部１５１は、放送局３から取得した電子番組ガイド（ＥＰＧ：Electronic Program Guide）に基づいて、放送される予定の放送コンテンツの属性情報を取得する。決定部１５１は、それぞれの放送コンテンツに対して、放送コンテンツの属性情報と、ユーザが関心を持っている放送コンテンツの属性情報とを比較し、比較結果の一致度合いが大きければ大きいほど、優先度を高くする。
【００３９】
図５は、このようにして決定部１５１が決定した放送コンテンツごとの優先度を示す優先度テーブルである。当該優先度テーブルにおいては、放送コンテンツと、携帯端末２Ａ、携帯端末２Ｂ及び携帯端末２Ｃの優先度とが関連付けられている。
【００４０】
また、決定部１５１は、放送受信機１に接続されたモニタに表示される操作画面、又は携帯端末２のリモート視聴アプリケーションソフトを用いてユーザが入力する情報に基づいて、時間帯ごとの優先度を決定してもよい。図６は、時間帯ごとの優先度を示す優先度テーブルである。図６に示す優先度テーブルにおいては、３時間ごとの時間帯と優先度とが関連付けられている。
【００４１】
選択部１５２は、所定の時間範囲内に複数の携帯端末２から放送コンテンツの配信要求を受けた場合に、記憶部１４に記憶された優先度テーブルに基づいて、一の携帯端末２を選択する。具体的には、選択部１５２は、携帯端末２Ａに放送コンテンツを配信中に、携帯端末２Ａと並行してリモート視聴をしている携帯端末２Ｂから放送コンテンツの配信要求を受けた場合に、携帯端末２Ａ及び携帯端末２Ｂのうち、優先度の高い携帯端末２を放送コンテンツの配信先として選択する。
【００４２】
より具体的には、選択部１５２は、携帯端末２Ａに放送コンテンツを配信中に、受信部１１１が、携帯端末２Ａよりも優先度が高い他の携帯端末２から放送コンテンツの配信要求を受信すると、携帯端末２Ａへの放送コンテンツの配信を停止させ、他の携帯端末２への放送コンテンツの配信を開始させる。例えば、選択部１５２は、携帯端末２Ａへの放送コンテンツの配信中に、携帯端末２Ｂから放送コンテンツの配信要求を受けた場合において、携帯端末２Ｂの優先度が携帯端末２Ａの優先度よりも高いならば、携帯端末２Ｂを選択する。この場合、送信部１１２は、携帯端末２Ａに対して、放送コンテンツの配信を一時的に停止する旨のメッセージを配信する。また、送信部１１２は、携帯端末２Ｂへの放送コンテンツの配信を開始する。
【００４３】
選択部１５２は、携帯端末２Ａに放送コンテンツを配信中に、携帯端末２Ｂから放送コンテンツの配信要求を受けた場合において、携帯端末２Ａの優先度が携帯端末２Ｂの優先度よりも高いならば、携帯端末２Ａを選択する。この場合、送信部１１２は、携帯端末２Ａへの放送コンテンツの配信を継続する。また、送信部１１２は、携帯端末２Ｂに対して、放送コンテンツを配信できない旨のメッセージを配信する。
【００４４】
このように、放送受信機１が、携帯端末２の優先度に基づいて放送コンテンツの配信先を制御することで、放送受信機１が時分割で放送コンテンツを配信している携帯端末２の台数が増えて、１台の携帯端末２に連続して放送コンテンツを配信できる時間が短くなった場合に、優先度が高い携帯端末２への連続配信時間を相対的に長くできる。その結果、優先度の高い携帯端末２においては、途切れることなく放送コンテンツを再生することができる。
【００４５】
選択部１５２は、図４に示す優先度テーブル内の優先度情報とともに、優先チャネル情報を用いて、放送コンテンツの配信を許可する携帯端末２を選択してもよい。図４に示す例の場合、選択部１５２は、携帯端末２Ａが、携帯端末２Ａの優先チャネル以外のチャネルの放送コンテンツの配信を受けている間に、携帯端末２Ｂの優先チャネルに対応する放送コンテンツの配信要求を携帯端末２Ｂから受信すると、優先度情報が示す優先度によらず、携帯端末２Ｂを選択してもよい。選択部１５２は、携帯端末２Ａが、携帯端末２Ａの優先チャネルに対応する放送コンテンツの配信中に、携帯端末２Ｂの優先チャネルに対応する放送コンテンツの配信要求を携帯端末２Ｂから受信すると、優先度情報が示す優先度が高い携帯端末２Ａを選択し、携帯端末２Ａへの放送コンテンツの配信を継続させる。
【００４６】
同様に、選択部１５２は、優先ジャンル情報を用いて、放送コンテンツの配信を許可する携帯端末２を選択してもよい。図４に示す例の場合、選択部１５２は、携帯端末２Ａが、携帯端末２Ａの優先ジャンル以外のジャンルの放送コンテンツの配信を受けている間に、携帯端末２Ｂの優先ジャンルに対応する放送コンテンツの配信要求を携帯端末２Ｂから受信すると、優先度情報が示す優先度によらず、携帯端末２Ｂを選択してもよい。選択部１５２は、携帯端末２Ａが、携帯端末２Ａの優先ジャンルの放送コンテンツの配信を受けている間に、携帯端末２Ｂの優先ジャンルの放送コンテンツの配信要求を携帯端末２Ｂから受信すると、優先度情報が示す優先度が高い携帯端末２Ａを選択し、携帯端末２Ａへの放送コンテンツの配信を継続させる。
【００４７】
また、選択部１５２は、図５に示す優先度テーブルを用いて、放送コンテンツの配信を許可する携帯端末２を選択してもよい。具体的には、選択部１５２は、携帯端末２Ａが放送コンテンツｂの配信を受けている間に、放送コンテンツｂに対する優先度が携帯端末２Ａよりも高い携帯端末２Ｂから、放送コンテンツｂの配信要求を受信すると、携帯端末２Ｂを選択することにより、携帯端末２Ａへの放送コンテンツの配信を一時的に停止させ、携帯端末２Ｂへの放送コンテンツの配信を開始させる。なお、選択部１５２は、携帯端末２Ａが放送コンテンツの配信を受けている放送コンテンツが図５に示す優先度テーブルに含まれていない場合には、図４に示す優先度テーブルに基づいて、放送コンテンツを配信する携帯端末２を選択する。
【００４８】
また、選択部１５２は、携帯端末２Ａが優先度１の放送コンテンツａを携帯端末２Ａに配信中に、携帯端末２Ｂから、携帯端末２Ｂが優先度１の放送コンテンツｂの配信要求を受信した場合、図４の優先度テーブルに含まれる優先度情報、優先チャネル情報、又は優先ジャンル情報に基づいて、放送コンテンツを配信する携帯端末２を選択する。
【００４９】
さらに、選択部１５２は、図６に示す優先度テーブルを用いて放送コンテンツを配信する携帯端末２を選択してもよい。具体的には、選択部１５２は、６：００〜９：００の時間帯に携帯端末２Ａが放送コンテンツの配信を受けている間に、当該時間帯における優先度が携帯端末２Ａよりも高い携帯端末２Ｂから放送コンテンツの配信要求を受信すると、携帯端末２Ｂを選択することにより、携帯端末２Ａへの放送コンテンツの配信を中止させ、携帯端末２Ｂへの放送コンテンツの配信を開始させる。
【００５０】
選択部１５２が、図４から図６に示す優先度テーブルのうち、どの優先度テーブルを優先的に使用して携帯端末２を選択するかは任意である。選択部１５２は、例えば、ユーザの設定に基づいて、どの優先度テーブルを優先的に使用するかを決定することができる。
【００５１】
送信制御部１５３は、携帯端末２に通知する各種の情報を送信部１１２に配信させる。例えば、送信制御部１５３は、放送コンテンツの配信を受けていた携帯端末２Ｂが、優先度が携帯端末２Ｂよりも高い携帯端末２Ａへの放送コンテンツの配信の開始により、放送コンテンツの配信が一時的に停止されていた場合、携帯端末２Ｂへの放送コンテンツの配信が終了すると、携帯端末２Ｂに、放送コンテンツの配信が可能であることを通知する。
【００５２】
リモート視聴システムＳ１は、携帯端末２のユーザが、リモート視聴を活用しやすくするために、送信制御部１５３が、携帯端末２に対して、リモート視聴が可能な他の携帯端末２によるリモート視聴の状況に関する情報を送信してもよい。例えば、送信制御部１５３は、図６に示した優先度テーブルに基づいて、優先度が切り替わるタイミングにおいて、切り替え後の優先度に関する情報を携帯端末２に通知してもよい。送信制御部１５３は、午前９時の時点で最も高い優先度になった携帯端末２Ｃに対して、優先度が高くなったことを通知することで、携帯端末２Ｃのユーザに対してリモート視聴を促すことができる。
【００５３】
また、送信制御部１５３は、いずれの携帯端末２もリモート視聴をしていない場合、各時間帯における優先度が高い順番に、順次、リモート視聴が可能であることを携帯端末２に通知してもよい。例えば、送信制御部１５３は、午前９時から１２時の間において所定の時間以上にわたって携帯端末２Ａ、２Ｂ、２Ｃがリモート視聴をしていない場合に、携帯端末２Ｃに対して、リモート視聴が可能であることを通知する。その後、所定の時間が経過した後に、送信制御部１５３は、携帯端末２Ａに対して、リモート視聴が可能であることを通知する。このようにすることで、リモート視聴システムＳ１は、携帯端末２のユーザに、リモート視聴を促すことができる。
【００５４】
また、送信制御部１５３は、送信部１１２を介して、例えば、放送受信機１にペアリングされた複数の携帯端末２がアクセス可能なＳＮＳ（Social Network Service）やメッセージ交換サービス等のグループ間通信サイトに、リモート視聴できることを示す情報を送信してもよい。送信制御部１５３は、所定の時間範囲内に複数の携帯端末２からリモート視聴要求を受けた場合に、複数の携帯端末２がアクセス可能なグループ間通信サイトに、リモート視聴の競合が発生したことを示す情報を送信してもよい。
【００５５】
また、送信制御部１５３は、いずれかの携帯端末２がリモート視聴をしている場合、当該携帯端末２がリモート視聴中の放送コンテンツを特定するための情報を、送信部１１２を介して、ペアリングしている複数の携帯端末２に通知してもよい。この場合に、送信制御部１５３は、放送コンテンツをリモート視聴中の携帯端末２を特定する情報を、他の複数の携帯端末２に通知してもよい。携帯端末２においては、番組選局時にユーザが用いる番組表に、リモート視聴中の放送コンテンツを示すフラグを表示する。このようにすることで、リモート視聴していない携帯端末２のユーザは、どの放送コンテンツがリモート視聴されているかを認識することができる。したがって、ユーザは、必要に応じてリモート視聴中のユーザに連絡して、リモート視聴を中止することを要求し、自らがリモート視聴を開始することができる。
【００５６】
さらに、送信制御部１５３は、所定の時間範囲内に複数の携帯端末２からリモート視聴要求を受けた放送コンテンツに関連付けられた他のコンテンツのアクセス先を示すアドレス情報を、送信部１１２を介して、リモート視聴要求を送信した携帯端末２に通知してもよい。例えば、当該放送コンテンツが、ＶＯＤ（Video On Demand）サーバに格納されている場合、送信制御部１５３は、ＶＯＤサーバにアクセスするための情報を携帯端末２に通知する。このようにすることで、１台の携帯端末２が放送コンテンツをリモート視聴している場合に、他の携帯端末２が、同じ時間帯に放送されている放送コンテンツを視聴することができる。
【００５７】
送信制御部１５３は、リモート視聴要求を受けた放送コンテンツと同一又は類似の属性の他のビデオコンテンツにアクセスするための情報を携帯端末２に通知してもよい。このようにすることで、リモート視聴をすることができないユーザにとって興味がある他のコンテンツを楽しむことが可能になる。
【００５８】
コンテンツ記憶部１６は、放送受信部１２を介して放送局３から受信した放送コンテンツを記憶する。コンテンツ記憶部１６は、制御部１５の制御に基づいて、携帯端末２からリモート視聴の要求を受けると、放送コンテンツの記憶を開始する。コンテンツ記憶部１６は、携帯端末２からリモート視聴の予約を受けた放送コンテンツがある場合、当該放送コンテンツが放送局３から配信される時刻になると、当該放送コンテンツの記憶を開始してもよい。
【００５９】
［携帯端末２の構成］
図７は、携帯端末２の構成を示す図である。携帯端末２は、受信部２１と、送信部２２と、記憶部２３と、表示部２４と、バッファ部２５と、制御部２６とを有する。
【００６０】
受信部２１は、放送受信機１から放送コンテンツ及び各種のメッセージを受信する。送信部２２は、放送受信機１に対して、放送受信機が受信したコンテンツを要求するコンテンツ要求等の各種のメッセージを送信する。
【００６１】
記憶部２３は、ＲＯＭ及びＲＡＭを含んで構成されている。記憶部２３には、制御部２６に実行されるプログラム、及び制御部２６が処理するデータが記憶される。表示部２４は、例えば液晶ディスプレイであり、放送受信機１から受信した放送コンテンツが表示される。バッファ部２５は、放送受信機１から受信した所定時間分の放送コンテンツを一時的に記憶しておく書き込み／読み出し可能なメモリである。
【００６２】
制御部２６は、例えばＣＰＵであり、携帯端末２の各部の動作を制御する。制御部２６は、受信部２１が受信した放送コンテンツをバッファ部２５に書き込む。また、制御部２６は、放送コンテンツをバッファ部２５から読み出されて、表示部２４に放送コンテンツを表示させる。
【００６３】
制御部２６は、所定の時間範囲内に放送受信機１が放送コンテンツを送信する対象となっている携帯端末２の台数に基づいて、バッファ部２５が放送コンテンツを保持する時間を変更する。具体的には、制御部２６は、同時にリモート視聴をする携帯端末２の台数が多い場合に、バッファ部２５が放送コンテンツを保持する所定時間を長くして、例えば第１の時間が経過するまで、受信部２１に放送コンテンツの受信を継続させる。他方、制御部２６は、同時にリモート視聴をする携帯端末２の台数が少ない場合に、バッファ部２５が放送コンテンツを保持する所定時間を短くして、例えば第１の時間よりも短い第２の時間が経過した時点で、送信部２２に、放送受信機１に対してコンテンツ停止要求を送信させる。
【００６４】
［動作シーケンス］
図８は、リモート視聴時の動作シーケンス図である。図８は、携帯端末２Ａが単独でリモート視聴を開始してからリモート視聴を終了するまでの動作シーケンスを示している。
【００６５】
放送受信機１は、携帯端末２Ａが送信したリモート視聴要求を受信すると（Ｓ１）、携帯端末２Ａでのリモート視聴の開始に先立ち、携帯端末２Ａとの間でＤＴＣＰ−ＩＰ（Digital Transmission Content Protection over IP network）認証処理を実行する（Ｓ２）。具体的には、放送受信機１は、携帯端末２Ａとの間で証明書を交換することにより、携帯端末２Ａがリモート視聴可能な端末であることを確認し、放送コンテンツの暗号化に用いる暗号鍵を生成し、携帯端末２Ａに暗号鍵を送信する。
【００６６】
携帯端末２Ａは、暗号鍵を受信すると、放送コンテンツの取得要求を放送受信機１に送信する（Ｓ３）。放送受信機１は、放送コンテンツの取得要求を受信すると、放送コンテンツの配信を開始する（Ｓ４）。放送受信機１は、放送コンテンツの視聴時間よりも短い時間で放送コンテンツを配信する。具体的には、放送受信機１は、例えば携帯端末２Ａの画面サイズに基づく大きさに放送コンテンツを圧縮し、例えば１０分の視聴時間に相当する放送コンテンツを３分間で携帯端末２Ａに配信する。
【００６７】
携帯端末２Ａは、放送コンテンツの配信が始まると、受信した放送コンテンツのバッファリングを開始する（Ｓ６）。具体的には、携帯端末２Ａは、受信した放送コンテンツを、順次、書き込み／読み出しが可能なメモリであるバッファ部２５に蓄積する。携帯端末２Ａは、放送コンテンツを受信中に、必要量をバッファリングできたかどうかを監視し（Ｓ７）、必要量をバッファリングできるまで放送コンテンツの受信を継続する。携帯端末２Ａは、例えば、ユーザが設定した視聴予定時間、又は携帯端末２Ａに設定されたバッファリングサイズに対応する量の放送コンテンツを受信するまで、放送コンテンツの受信を継続する。
【００６８】
携帯端末２Ａは、必要量の放送コンテンツをバッファリングできた場合、バッファリングを終了し（Ｓ８）、放送受信機１に対して、コンテンツ配信停止要求を送信する（Ｓ９）。放送受信機１は、携帯端末２Ａからコンテンツ配信停止要求を受信すると、携帯端末２Ａへの放送コンテンツの配信を一時的に停止する（Ｓ１０）。
【００６９】
続いて、携帯端末２Ａは、バッファリングした放送コンテンツの再生を開始する（Ｓ１１）。携帯端末２Ａは、放送コンテンツの再生中に、バッファに残っている放送コンテンツの量を監視し（Ｓ１２）、放送コンテンツの残量が所定の量より小さくなると、コンテンツ取得要求を放送受信機１に送信する（Ｓ１３）。放送受信機１は、携帯端末２Ａからコンテンツ取得要求を受信すると、携帯端末２Ａへの放送コンテンツの配信を再開する（Ｓ１４）。
【００７０】
放送受信機１及び携帯端末２Ａは、携帯端末２Ａのユーザがリモート視聴を終了するまで、Ｓ４からＳ１４までの手順を繰り返す。携帯端末２Ａは、ユーザがリモート視聴を終了する操作をするかどうかを監視し（Ｓ１５）、リモート視聴を終了する操作を受けると、リモート視聴終了要求を放送受信機１に送信する（Ｓ１３）。放送受信機１は、携帯端末２Ａからリモート視聴終了要求を受信すると、携帯端末２Ａへの放送コンテンツの配信を終了する。
【００７１】
図９は、携帯端末２Ａ及び携帯端末２Ｂが同時にリモート視聴をする場合の動作シーケンス図である。図９Ａは、放送受信機１が携帯端末２Ａに放送コンテンツを配信中に、配信先を携帯端末２Ｂに切り替えて携帯端末２Ｂに放送コンテンツを配信した後に、携帯端末２Ａへの放送コンテンツの配信を再開するまでの動作を示している。図９Ｂは、携帯端末２Ａへの放送コンテンツの配信を再開してから、携帯端末２Ｂへの放送コンテンツの配信を再開するまでの動作を示している。
【００７２】
以下、図９Ａ及び図９Ｂを参照して、放送受信機１、携帯端末２Ａ及び携帯端末２Ｂの動作を説明する。
放送受信機１が携帯端末２Ａに放送コンテンツを配信中に、携帯端末２Ｂが送信したコンテンツ取得要求を受信すると（Ｓ２１）、放送受信機１は、携帯端末２Ｂよりも優先度が高い携帯端末２に放送コンテンツを配信中であるか否かを確認する（Ｓ２２）。放送受信機１が携帯端末２Ｂよりも優先度が高い携帯端末２に放送コンテンツを配信している場合、放送受信機１は、携帯端末２Ｂに対して拒否通知を送信する（Ｓ２３）。
【００７３】
他方で、放送受信機１は、携帯端末２Ｂよりも優先度が高い携帯端末２に放送コンテンツを配信しておらず、携帯端末２Ｂよりも優先度が低い携帯端末２Ａに放送コンテンツを配信している場合、携帯端末２Ａに対して、一時的に放送コンテンツの配信を停止することを通知する（Ｓ２４）。その後、放送受信機１は、携帯端末２Ａへの放送コンテンツの配信を停止し、携帯端末２Ｂへの放送コンテンツの配信を開始する。
【００７４】
ここで、放送受信機１の送信部１１２は、携帯端末２Ａよりも優先度が高い携帯端末２Ｂに対して、携帯端末２Ａに送信する放送コンテンツよりも品質が高い放送コンテンツを配信し、携帯端末２Ａには相対的に品質が低い放送コンテンツを配信してもよい。放送コンテンツの品質は、空間解像度、時間解像度、符号化レート、又は色空間等により定められる。例えば、放送受信機１の送信部１１２は、携帯端末２Ａよりも優先度が高い携帯端末２Ｂに対して、携帯端末２Ａに送信する放送コンテンツよりも解像度が高い放送コンテンツ（例えば、画素数が１２８０×７２０の７２０ｐのコンテンツ）を配信し、携帯端末２Ａには相対的に解像度が低い放送コンテンツ（例えば、画素数が６４０×４８０のＶＧＡのコンテンツ）を配信してもよい。このようにすることで、優先度が低い携帯端末２Ａへの放送コンテンツの配信に必要な時間を短縮して、同時にリモート視聴できる携帯端末２の数を増やしつつ、優先度が高い携帯端末２Ｂにおいて表示される放送コンテンツの品質を維持できる。
【００７５】
放送受信機１が携帯端末２Ｂへの放送コンテンツの配信を開始すると、携帯端末２Ｂは、放送コンテンツのバッファリングを開始する（Ｓ２６）。Ｓ２６からＳ２８までの動作は、図８におけるＳ６からＳ８までの動作と同一なので、詳細な説明を省略する。なお、Ｓ２６からＳ２８までの動作中、携帯端末２Ａにおいては、放送コンテンツの配信が一時的に停止されるまでにバッファリングしていた放送コンテンツを再生している。
【００７６】
携帯端末２Ｂは、バッファリングを終了すると（Ｓ２８）、放送受信機１に対してコンテンツ配信停止要求を送信し（Ｓ２９）、放送コンテンツの再生を開始する（Ｓ３０）。放送受信機１は、携帯端末２Ｂからコンテンツ配信停止要求を受信すると、放送コンテンツの配信を一時的に停止していた携帯端末２Ａに対する放送コンテンツの配信を再開する（Ｓ３１）。
【００７７】
続いて、図９Ｂに示すように、携帯端末２Ａは、図８におけるＳ６からＳ８までの動作と同様に、バッファリングを実行する（Ｓ３２〜Ｓ３４）。携帯端末２Ａは、バッファリングを終了すると、放送受信機１に対してコンテンツ配信停止要求を送信し（Ｓ３５）、コンテンツの再生を継続する（Ｓ３６）。
【００７８】
他方で、携帯端末２Ｂは、Ｓ３０において放送コンテンツの再生を開始後、バッファに残存している放送コンテンツが不足していないかどうかを監視している（Ｓ３７）。携帯端末２Ｂは、残存している放送コンテンツの量が不足してきたと判定すると、放送受信機１に対してコンテンツ取得要求を送信する（Ｓ３８）。図９Ｂにおいては、携帯端末２ＡがＳ３４において放送コンテンツのバッファリングを終了した後に、携帯端末２Ｂがコンテンツ取得要求を送信しているが、携帯端末２Ｂは、Ｓ３４の前にコンテンツ取得要求を送信してもよい。
【００７９】
放送受信機１は、コンテンツ取得要求を受信すると、図９ＡにおけるＳ２２と同様に、携帯端末２Ｂよりも優先度が高い携帯端末２に放送コンテンツを配信中であるか否かを確認する（Ｓ３９）。放送受信機１が携帯端末２Ｂよりも優先度が高い携帯端末２に放送コンテンツを配信している場合、放送受信機１は、携帯端末２Ｂに対して拒否通知を送信する（Ｓ４０）。
【００８０】
放送受信機１は、携帯端末２Ｂよりも優先度が高い携帯端末２に放送コンテンツを配信していない場合、携帯端末２Ｂへの放送コンテンツの配信を再開する（Ｓ４１）。放送受信機１が携帯端末２Ｂへの放送コンテンツの配信を開始すると、携帯端末２Ｂは、放送受信機１から送信される放送コンテンツのバッファリングを開始する（Ｓ４２）。以下、携帯端末２Ａ又は携帯端末２Ｂのユーザがリモート視聴を終了する操作を行うまで、上記の動作を繰り返し、放送受信機１は、携帯端末２Ａ及び携帯端末２Ｂに対して、時分割で送信先を切り替えながら放送コンテンツを配信する。
【００８１】
上記の説明においては、携帯端末２Ａ及び携帯端末２Ｂが、所定の時間範囲内にリモート視聴をする場合の例について説明したが、放送受信機１は、より多くの携帯端末２に対して同時にリモート視聴をさせることもできる。この場合、放送受信機１の送信部１１２は、所定の時間範囲内に放送コンテンツを送信する対象となっている携帯端末２の台数に対応する時間ごとに、送信先を切り替える。例えば、送信部１１２は、携帯端末２の台数が増えれば増えるほど、短い時間間隔で送信先を切り替えることで、それぞれの携帯端末２が放送コンテンツの配信を待つ時間を短くし、放送コンテンツを表示できない状態が発生することを防止できる。
【００８２】
また、送信部１１２は、放送受信機１における負荷の大きさに基づいて、放送コンテンツを時分割で送信する対象とする携帯端末２の上限台数を決定してもよい。具体的には、送信部１１２は、制御部１５から、ＣＰＵ使用率又はメモリ使用率等の負荷を示す情報を取得し、負荷が第１の範囲である場合に、第１の台数の携帯端末２に時分割で放送コンテンツを配信し、負荷が第１の範囲よりも大きい第２の範囲である場合に、第１の台数よりも少ない第２の台数の携帯端末２に時分割で放送コンテンツを配信する。送信部１１２は、上限台数を超える携帯端末２からリモート視聴の要求があった場合、リモート視聴を拒否する通知を当該携帯端末２に送信する。このようにすることで、放送受信機１は、放送コンテンツの配信処理が間に合わないことにより、携帯端末２において放送コンテンツを視聴できない状態が発生することを防止できる。
【００８３】
［第１の実施形態における効果］
以上のとおり、第１の実施形態に係る放送受信機１は、所定の時間範囲内に複数の携帯端末２からリモート視聴の要求を受信した場合に、複数の携帯端末２に対して、時分割で配信先を切り替えながら放送コンテンツを配信する。そして、複数の携帯端末２においては、配信された放送コンテンツを所定量バッファリングし、他の携帯端末２に放送コンテンツが配信されている間に放送コンテンツを再生する。このようにすることで、放送受信機１が複数の携帯端末２に対して同時に放送コンテンツを送信することなく、複数の携帯端末２の複数のユーザが、同時に放送コンテンツを視聴することができる。
【００８４】
＜第２の実施形態＞
図１０は、第２の実施形態に係る放送受信機１の構成を示す図である。第２の実施形態に係る放送受信機１は、放送受信機１から携帯端末２に放送コンテンツを配信する際のスループットを取得する取得部１７を有する点で、第１の実施形態に係る放送受信機１と異なり、他の点で同じである。
【００８５】
取得部１７は、例えば、送信部１１２が所定量の放送コンテンツの送信を開始してから、放送コンテンツの送信が完了するまでに要する時間に基づいてスループットを算出する。取得部１７は、放送受信機１と携帯端末２との間の通信回線を管理する通信キャリアから、スループットを示す情報を取得してもよい。
【００８６】
送信部１１２は、取得部１７が取得したスループットに対応する解像度の放送コンテンツを携帯端末２に送信する。例えば、送信部１１２は、スループットが所定値よりも大きい場合、携帯端末２のバッファに所定量の放送コンテンツが蓄積されるまでの時間が短くなると考えられるので、解像度が高い放送コンテンツを送信する。送信部１１２は、スループットが所定値以下である場合、解像度が低い放送コンテンツを送信する。
【００８７】
［第２の実施形態における効果］
以上のとおり、第２の実施形態に係る放送受信機１は、放送受信機１と携帯端末２との間で放送コンテンツを配信する際のスループットに基づいて、配信する放送コンテンツの解像度を制御する。したがって、スループットが低い間は、解像度を低くすることにより、できるだけ多くの携帯端末２が同時にリモート視聴できるようにするとともに、スループットが高い間は、解像度を高くすることにより、携帯端末２のユーザが高品質の映像を視聴できるようにすることができる。
【００８８】
＜第３の実施形態＞
図１１は、第３の実施形態に係るリモート視聴システムＳ２の構成を示す図である。リモート視聴システムＳ２は、サーバ５をさらに備えており、放送受信機１がサーバ５と連携して動作する点で、第１の実施形態に係るリモート視聴システムＳ１と異なる。サーバ５は、放送受信機１とペアリングされた複数の携帯端末２から、コンテンツを配信する携帯端末２を選択する選択装置である。
【００８９】
図１２は、サーバ５の構成を示す図である。サーバ５は、通信部５１と、記憶部５２と、制御部５３とを有する。通信部５１は、図３に示した放送受信機１における通信部１１に対応し、受信部１１１及び送信部１１２に対応する受信部５１１及び送信部５１２を有する。記憶部５２は、放送受信機１における記憶部１４に対応する。制御部５３は、放送受信機１における制御部１５に対応する。制御部５３は、決定部１５１及び選択部１５２に対応する決定部５３１及び選択部５３２を有する。また、制御部５３は、通知部５３３を有する。通知部５３３は、選択部５３２が選択した携帯端末２を、送信部５１２を介して放送受信機１に通知する。
【００９０】
記憶部５２は、放送受信機１とペアリングされた複数の携帯端末２の識別情報に関連付けて、リモート視聴の優先度を記憶する。受信部５１１は、携帯端末２から、リモート視聴の開始を要求するリモート視聴要求を受信する。また、受信部５１１は、リモート視聴中の携帯端末２から、放送コンテンツの配信を要求するコンテンツ配信要求を受信する。選択部５３２は、所定の時間範囲内に複数の携帯端末２からコンテンツ配信要求を受けた場合に、記憶部５２に記憶された優先度に基づいて、放送受信機１に放送コンテンツを配信させる携帯端末２を選択する。送信部５１２は、選択部５３２により選択された携帯端末２を特定する情報を放送受信機１に送信する。放送受信機１は、選択部５３２により選択された携帯端末２を特定する情報を受信すると、当該携帯端末２に対して、放送コンテンツの配信を開始する。
【００９１】
図１３は、第３の実施形態におけるリモート視聴時の動作シーケンス図である。図１３は、携帯端末２Ａがリモート視聴中に携帯端末２Ｂからリモート視聴開始の要求が送信された場合の動作シーケンスを示している。
【００９２】
携帯端末２Ｂは、ユーザがリモート視聴を開始する操作をすると、サーバ５に対してコンテンツ取得要求を送信する（Ｓ５１）。サーバ５は、携帯端末２Ｂが送信したコンテンツ取得要求を受信すると、携帯端末２Ｂよりも優先度が高い携帯端末２にコンテンツを配信中であるかどうかを判定する（Ｓ５２）。サーバ５は、コンテンツ配信中の携帯端末２Ａの優先度が携帯端末２Ｂよりも高いと判定すると、携帯端末２Ｂに対して、コンテンツの配信を開始できない旨を示す拒否通知を配信する（Ｓ５３）。
【００９３】
サーバ５は、リモート視聴中の携帯端末２Ａの優先度が携帯端末２Ｂよりも低いと判定すると、携帯端末２Ａに対して、コンテンツの配信を一時的に停止する旨を示す配信停止通知を送信する（Ｓ５４）。また、サーバ５は、携帯端末２Ｂに対して、コンテンツ配信許可通知を送信する（Ｓ５５）。さらに、サーバ５は、放送受信機１に対して、放送コンテンツの配信先を携帯端末２Ａから携帯端末２Ｂに切り替える指示を送信する（Ｓ５６）。その後、放送受信機１は、携帯端末２Ｂへの放送コンテンツの配信を開始する。
【００９４】
携帯端末２Ｂは、必要量の放送コンテンツをバッファリングすると、サーバ５に対して、コンテンツ配信停止要求を送信し（Ｓ５７）、放送コンテンツの再生を開始する。サーバ５は、コンテンツ配信停止要求を受信すると、携帯端末２Ａに対して、放送コンテンツの配信を再開する旨を通知し（Ｓ５９）、放送受信機１に対して、放送コンテンツの配信先を切り替える指示を送信する（Ｓ６０）。その後、放送受信機１は、携帯端末２Ａへの放送コンテンツの配信を開始する。
【００９５】
［第３の実施形態における効果］
以上のとおり、第３の実施形態においては、サーバ５が、複数の携帯端末２への放送コンテンツの配信の優先度と、放送コンテンツの配信状態を管理する。したがって、ユーザが使用する放送受信機１が、放送コンテンツの配信先を時分割で切り替える機能を有していない場合であっても、複数の携帯端末２に時分割で放送コンテンツを配信し、複数の携帯端末２のユーザが同時にリモート視聴をすることができる。
【００９６】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【００９７】
例えば、上記の説明においては、放送受信機１が、放送コンテンツの再生時間よりも短い時間で当該放送コンテンツを携帯端末２に送信するものとして説明したが、これに限らない。放送受信機１が放送コンテンツをリアルタイムで携帯端末２に送信する場合、放送受信機１は、放送コンテンツを携帯端末２で再生できるようにトランスコーディングした後に、放送コンテンツの再生時間と同じ時間で携帯端末２に送信してもよい。
【符号の説明】
【００９８】
１・・・放送受信機、２・・・携帯端末、３・・・放送局、４・・・基地局、５・・・サーバ、１１・・・通信部、１２・・・放送受信部、１３・・・出力部、１４・・・記憶部、１５・・・制御部、１６・・・コンテンツ記憶部、２１・・・受信部、２２・・・送信部、２３・・・記憶部、２４・・・表示部、２５・・・バッファ部、２６・・・制御部、５１・・・通信部、５２・・・記憶部、５３・・・制御部、１１１・・・受信部、１１２・・・送信部、１５１・・・決定部、１５２・・・選択部、１５３・・・送信制御部、５１１・・・受信部、５１２・・・送信部、５３１・・・決定部、５３２・・・選択部、５３３・・・送信制御部
【図１】
2016066914.tif 000003
【図２】
2016066914.tif 000004
【図３】
2016066914.tif 000005
【図４】
2016066914.tif 000006
【図５】
2016066914.tif 000007
【図６】
2016066914.tif 000008
【図７】
2016066914.tif 000009
【図８】
2016066914.tif 000010
【図９Ａ】
2016066914.tif 000011
【図９Ｂ】
2016066914.tif 000012
【図１０】
2016066914.tif 000013
【図１１】
2016066914.tif 000014
【図１２】
2016066914.tif 000015
【図１３】
2016066914.tif 000016